(57)【特許請求の範囲】
【請求項１】
制御の対象であるランプと、
該ランプの初期予熱、瞬間放電および放電保持をし、フィードバック制御のために直流リンク電圧と消費電流とを出力する電子式安定器と、
該電子式安定器から出力された前記直流リンク電圧と前記消費電流との積に比例する値を出力する掛算器と、
前記ランプの初期予熱期間と放電期間に従い、時間に比例する信号を出力する時間制御器と、
該時間制御器の信号を受けて前記ランプの初期予熱期間と放電期間に必要な信号を出力するソフトスタート制御器と、
前記掛算器の出力信号と前記ソフトスタート制御器の出力信号を加算するか減算して出力する第１加減器と、
フィードバック制御において前記電子式安定器の入力電力を決める基準になる電圧を出力する基準電圧発生部と、
前記第１加減器から出力されて抵抗ブロックを経て入力される信号と前記基準電圧発生部の出力信号を加算するか減算して出力する第２加減器と、
該第２加減器の出力信号を増幅して出力するエラーアンプと、
該エラーアンプから出力された電流を積分して電圧に変換するキャパシタと、
該キャパシタの電圧を電流に変換して出力する電圧制御電流ソースと、
該電圧制御電流ソースの出力と、基準電流と、前記電子式安定器から出力されて抵抗ブロックを経た信号を加算するか減算して出力する第３加減器と、
該第３加減器の出力が内部と連結されたキャパシタにチャージされて前記電子式安定器に出力する制御周波数を決める発振器と出力ドライバーと
からなることを特徴とする電子式安定器を連続的にフィードバック制御するシステム。
【請求項２】
前記ソフトスタート制御器は、
ベースに時間制御器の出力（Ｖｃｓ）が入力される第２トランジスタ（Ｑ２）と、
該第２トランジスタ（Ｑ２）のエミッタ端子に一方の端子が連結された第１抵抗（Ｒ１）と、
コレクタ端子が前記第１抵抗（Ｒ１）の一方の端子と連結されており、ベース端子にｉｐバイアス電流が入力され、エミッタ端子で電流（ｉｐ１）を出力する第３トランジスタ（Ｑ３）と、
エミッタ端子が前記第１抵抗（Ｒ１）の一方の端子と前記第３トランジスタ
（Ｑ３）のコレクタ端子に連結されており、コレクタ端子が第１加減器に連結された第４トランジスタ（Ｑ４）と、
一方の端子が前記第３トランジスタ（Ｑ３）のコレクタ端子と前記第４トランジスタ（Ｑ４）のエミッタ端子と連結された第２抵抗（Ｒ２）と、
エミッタ端子が前記第２抵抗（Ｒ２）の一方の端子に連結されており、ベース端子が前記第４トランジスタ（Ｑ４）のベース端子と連結されており、ベース端子とコレクタ端子とが連結された第５トランジスタ（Ｑ５）と、
一方の端子が前記第３トランジスタ（Ｑ３）のエミッタ端子に連結されており、他方の端子が前記第５トランジスタ（Ｑ５）のコレクタに連結された第４抵抗（Ｒ４）と、
一方の端子が前記第４抵抗（Ｒ４）の一方の端子と前記第５トランジスタ（Ｑ５）のコレクタ端子に連結された第３抵抗（Ｒ３）と、
エミッタ端子が前記第３抵抗（Ｒ３）の一方の端子と連結されており、ベース端子とコレクタ端子とが連結されており、コレクタ端子が前記第２トランジスタ（Ｑ２）のコレクタ端子に電流（ｉｐ３）を出力する第１トランジスタ（Ｑ１）と
からなることを特徴とする請求項１に記載の電子式安定器を連続的にフィードバック制御するシステム。
【請求項３】
前記時間制御器の出力（Ｖｃｓ）が時間に比例して大きくなりほぼ前記第４トランジスタ（Ｑ４）と前記第５トランジスタ（Ｑ５）のベース電圧（Ｖｒ２）になると前記第２トランジスタ（Ｑ２）が導通し始め、このときが時間ｔ１になることを特徴とする請求項２に記載の電子式安定器を連続的にフィードバック制御するシステム。
【請求項４】
前記第１トランジスタ（Ｑ１）のコレクタ電流（ｉｐ３）が前記第３トランジスタ（Ｑ３）のエミッタ電流（ｉｐ１）と同様になると前記ソフトスタート制御器の出力電流（ｉｐ）はゼロ電流になり、このときが時間ｔ２になることを特徴とする請求項２に記載の電子式安定器を連続的にフィードバック制御するシステム。
【請求項５】
時間ｔ１からｔ２まで、前記第１トランジスタ（Ｑ１）のコレクタ電流（ｉｐ３）は比例的に大きくなり、前記第４トランジスタ（Ｑ４）のコレクタ電流（ｉｐ２）は比例的に減少することを特徴とする請求項２に記載の電子式安定器を連続的にフィードバック制御するシステム。
【請求項６】
前記第１抵抗（Ｒ１）は時間ｔ１とｔ２における電流傾きを決め、前記第１抵抗（Ｒ１）が大きいほど電流の傾きが綬慢になることを特徴とする請求項２に記載の電子式安定器を連続的にフィードバック制御するシステム。
【発明の詳細な説明】
【０００１】
【発明の属する技術分野】
本発明は電子式安定器を連続的にフィードバック制御するシステムに係り、さらに詳しくは、ばらついたランプロードの特性に対しても初期予熱周波数の制御と瞬間放電および放電保持のための周波数制御を安定して行える電子式安定器を連続的にフィードバック制御するシステムに関する。
【０００２】
【従来の技術】
一般に、従来の電子式安定器をフィードバック制御するシステムは多くの利点を提供する。すなわち、ランプロードの特性のバラツキにもかかわらず安定して制御することができ、エネルギーの節約やランプの寿命延長などに大きい効果を得ることができる。
【０００３】
ランプ寿命の延長に大きな効果がある予熱作用は、ランプの放電時にストレスを与えないようにランプフィラメントを適正な温度でヒーティングする作用であり、電気的にはランプに流れる電流を制限的に供給することにより行われる。
【０００４】
以下、添付図面を参照して従来の技術について説明する。図８は従来用いられた、電子式安定器をフィードバック制御するシステムを示すブロック図である。
【０００５】
図８に示すように、従来の電子式安定器をフィードバック制御するシステムにおいては、ランプ１１に出力する電流を制御する電子式安定器１２が消費する電流ｉｆｂと直流リンク電圧Ｅをフィードバックして掛算器１３で合成し、掛算器１３の出力信号ｉｍｏを抵抗ブロックＲｍｏを通じて電圧Ｖｍｏとして出力し、第１加減器１５において、基準電圧発生部１４から出力される電子式安定器１２の入力電力を決める基準電圧Ｖｒｅｆと加減する。
【０００６】
第１加減器１５から出力された加減された電圧ＶｅｒｒはトランスコンダクタンスＧＭを有するエラーアンプ１６を通じて電流Ｉｉｎに増幅される。増幅された電流ＩｉｎはキャパシタＣで積分されて電圧Ｖｉｎになる。
【０００７】
この電圧Ｖｉｎは電圧制御電流ソース（Ｖｏｌｔａｇｅ  Ｃｏｎｔｒｏｌｌｅｄ  Ｃｕｒｒｅｎｔ  Ｓｏｕｒｃｅ；以下‘ＶＣＣＳ’という）１７を経て電流Ｉ１に換算される。ＶＣＣＳ１７は、出力電流が入力電圧に比例する電流源である。この電流Ｉ１には電子式安定器１２の直流リンク電圧Ｅがフィードフォワードされた電流Ｉｅと基準電流Ｉｒｅｆとが第２加減器１８で加わる。
【０００８】
これら加わった総電流ｉｔ（ｉｔ＝Ｉｅ−Ｉ１＋Ｉｒｅｆ）は、発振器と出力ドライバー１９のキャパシタＣｔでチャージされて電子式安定器１２の制御周波数ｆ１を決める。
【０００９】
この制御周波数ｆ１は、電子式安定器１２の入力電力を決定し、決まった入力電力は電流ｉｆｂに比例し、これによってフィードバック制御がなされる。
【００１０】
【発明が解決しようとする課題】
しかしながら、上記した従来の電子式安定器フィードバック制御システムは、ランプを放電させた後、放電を保持する制御は可能であるが、ランプを予熱させる特殊な制御には適用し難い。例えば、ランプの予熱期間の際、電子式安定器が必要とする電力は放電保持時に必要とする電力よりほぼ１／１０倍に小さくしなければならない。また初期放電をするときは適切な制御によりランプ放電および大きい注入電流（ｉｎｒｕｓｈ  ｃｕｒｒｅｎｔ）や電圧の上昇を防止し難いという問題点がある。
【００１１】
本発明は、前記のような従来の問題点を解決するためのものであって、その目的は、ランプの初期予熱の周波数制御、瞬間放電および放電保持のための周波数制御を含む全過程において連続的なフィードバック制御をして、より安定して最適の制御をすることができる電子式安定器を連続的にフィードバック制御するシステムを提供することにある。
【００１２】
【課題を解決するための手段】
本発明に係る電子式安定器を連続的にフィードバック制御するシステムは、制御の対象であるランプと、該ランプの初期予熱、瞬間放電および放電保持をし、フィードバック制御のための信号を出力する電子式安定器と、該電子式安定器から出力された信号の積に比例する値を出力する掛算器と、前記ランプの初期予熱期間と放電期間に従い時間に比例する信号を出力する時間制御器と、該時間制御器の信号を受けて前記ランプの初期予熱期間と放電期間に必要な信号を出力するソフトスタート制御器と、前記掛算器の出力信号と前記ソフトスタートの出力信号を加算するか減算して出力する第１加減器と、フィードバック制御において前記電子式安定器の入力電力を決める基準になる電圧を出力する基準電圧発生部と、前記第１加減器から出力されて抵抗ブロックを経て入力された信号と前記基準電圧発生部の出力信号を加算するか減算して出力する第２加減器と、該第２加減器の出力信号を増幅して出力するエラーアンプと、該エラーアンプから出力された電流を積分して電圧に変換するキャパシタと、該キャパシタの電圧を電流に変換して出力する電圧制御電流ソースと、該電圧制御電流ソースの出力と、基準電流と、前記電子式安定器から出力されて抵抗ブロックを経た信号を加算するか減算して出力する第３加減器と、該第３加減器の出力が内部と連結されたキャパシタにチャージされて前記電子式安定器に出力する制御周波数を決める発振器と出力ドライバーとからなることを特徴とする。
【００１３】
【発明の実施の形態】
以下、本発明の実施の形態を添付図面に基づいて詳細に説明する。
【００１４】
図１は本発明による電子式安定器を連続的にフィードバック制御するシステムを示すブロック図である。
【００１５】
図１に示すように、本発明によるシステムは、制御の対象であるランプ３１と、ランプ３１の初期予熱、瞬間放電および放電保持のための信号と、フィードバック制御のための信号（直流リンク電圧Ｅと電子式安定器の消費電力ｉｆｂ）を出力する電子式安定器３２と、電子式安定器３２から出力された信号（直流リンク電圧Ｅと電子式安定器の消費電力ｉｆｂ）が入力され、これらの信号の積に比例する値を出力する掛算器３３と、ランプ３１の初期予熱期間と放電期間に従い時間に比例する信号Ｖｃｓを出力する時間制御器３４と、時間制御器３４の信号Ｖｃｓを受けてランプ３１の初期予熱期間と放電期間に必要な信号を出力するソフトスタート制御器３５と、掛算器３３の出力信号ｉｍｏとソフトスタート制御器３５の出力信号ｉｐを加算して出力する第１加減器３６と、フィードバック制御において電子式安定器３２の入力電力を決める基準となる電圧Ｖｒｅｆを出力する基準電圧発生部３７と、第１加減器３６から出力されて抵抗ブロックＲｍｏを経て入力された信号Ｖｍｏと基準電圧発生部３７の出力信号Ｖｒｅｆを加算するか減算して出力する第２加減器３８と、第２加減器３８の出力信号Ｖｅｒｒを増幅して出力するエラーアンプ３９と、エラーアンプ３９から出力された電流Ｉｉｎを積分して電圧Ｖｉｎに変換するキャパシタＣと、キャパシタＣの電圧Ｖｉｎを電流Ｉ１に変換して出力するＶＣＣＳ４０と、ＶＣＣＳ４０の出力Ｉ１と、基準電流Ｉｒｅｆと、電子式安定器３２から出力され抵抗ブロック１／ＲＬを経た信号Ｉｅを加算するか減算して出力する第３加減器４１と、第３加減器４１の出力ｉｔが内部と連結されたキャパシタＣｔにチャージされて電子式安定器３２に出力する制御周波数ｆ１を決める発振器と出力ドライバー４２とから構成される。
【００１６】
図２は本発明による電子式安定器を連続的にフィードバック制御するシステムにおけるソフトスタート制御器３５の詳細回路図である。
【００１７】
図２に示すように、ソフトスタート制御器３５は、ベースに時間制御器３４の出力Ｖｃｓが入力される第２トランジスタＱ２と、第２トランジスタＱ２のエミッタ端子に一方の端子が連結された第１抵抗Ｒ１と、コレクタ端子が第１抵抗Ｒ１の一方の端子と連結されており、ベース端子にｉｐバイアス電流が入力され、エミッタ端子に電流ｉｐ１を出力する第３トランジスタＱ３と、エミッタ端子が第１抵抗Ｒ１の一方の端子及び第３トランジスタＱ３のコレクタ端子に連結されており、コレクタ端子が第１加減器３６に連結された第４トランジスタＱ４と、一方の端子が第３トランジスタＱ３のコレクタ端子及び第４トランジスタＱ４のエミッタ端子と連結された第２抵抗Ｒ２と、エミッタ端子が第２抵抗Ｒ２の一方の端子に連結されており、ベース端子が第４トランジスタＱ４のベース端子と連結されており、ベース端子とコレクタ端子とが連結された第５トランジスタＱ５と、一方の端子が第３トランジスタＱ３のエミッタ端子に連結されており、他方の端子が第５トランジスタＱ５のコレクタに連結された第４抵抗Ｒ４と、一方の端子が第４抵抗Ｒ４の一方の端子及び第５トランジスタＱ５のコレクタ端子に連結された第３抵抗Ｒ３と、エミッタ端子が第３抵抗Ｒ３の一方端子と連結されており、ベース端子とコレクタ端子とが連結されており、コレクタ端子が第２トランジスタＱ２のコレクタ端子に電流ｉｐ３を出力する第１トランジスタＱ１とから構成される。
【００１８】
図３は本発明において用いられる電子式安定器３２を示すものである。
【００１９】
図３に示すように、電子式安定器３２はＬＣ共振型コンバータであって、スイッチング周波数がＬＣ（ＬｒとＣ（Ｃ１，Ｃ２，Ｃ３，Ｃ４，Ｃ５の複合））共振周波数より高く制御されるとスイッチング周波数が入力電圧に反比例する特性を有する。従って、放電保持のための１００％入力電力に対する周波数ｆ０に比べ予熱の際のスイッチング周波数ｆｐを相対的に高くしなければならない。すなわち、ランプの放電特性上、予熱周波数ｆｐは、共振周波数の影響のため、放電保持時の周波数ｆ０より高くなることが必要とされる。
【００２０】
この実施の形態においてはフィードバック制御を基にして初期予熱周波数と瞬間放電および放電保持のための周波数が提供されてランプ３１を制御する。
【００２１】
図１に示した本発明による電子式安定器を連続的にフィードバック制御するシステムは、連続的なフィードバック制御によって予熱−放電−放電保持制御を可能にするもので、以下のような動作を行う。
【００２２】
まず、ランプ３１に出力する電流を制御する電子式安定器３２が消費する電流ｉｆｂと直流リンク電圧Ｅをフィードバックして掛算器３３で合成する。なお、電流ｉｆｂは、図３に示したＭ２のＧＮＤに流れる電流である。ソフトスタート制御器３５は、時間制御器３４からランプ３１の初期予熱期間と放電期間に従い時間に比例して出力される信号Ｖｃｓが入力され、ランプ３１の初期予熱期間と放電期間に必要な信号ｉｐを出力する。このソフトスタート制御器３５の出力ｉｐと掛算器の出力（ｉｍｏ＝Ｋｍ＊ｉｆｂ＊Ｅ）とを第１加減器３６で加算し  （ｉｍｏ１＝ｉｍｏ＋ｉｐ）、抵抗ブロックＲｍｏを経た出力Ｖｍｏが第２加減器３８で基準電圧発生部３７の出力Ｖｒｅｆと加減される。
【００２３】
抵抗ブロックＲｍｏの出力Ｖｍｏは基準電圧発生部３７の出力Ｖｒｅｆと等しくなるように、電子式安定器３２のフィードバック出力（ｉｆｂとＥ）の変化で調整される。従って、第１加減器３６においてソフトスタート制御器３５の出力電流ｉｐが増加すると、掛算器３３の出力電流ｉｍｏの減少をもたらす。もし、直流リンク電圧Ｅが一定であるとフィードバック電流ｉｆｂが減少する。フィードバック電流ｉｆｂの減少は電子式安定器３２の消費電力を減少させるように周波数ｆ１が制御されることを意味する。
【００２４】
このようなソフトスタート制御器３５の出力変化はランプを予熱させる初期スタート時に応用される。ソフトスタート制御器３５の出力電流ｉｐの量を大きくしてフィードバック電流ｉｆｂの量を減少させるとランプ３１は放電されない状態で駆動されて予熱作用を行う。以後、一定時間の予熱を終えるとソフトスタート制御器３５の出力電流ｉｐの量を減少させて放電に必要な電力になるようにフィードバック電流ｉｆｂを制御し、放電保持期間の間ソフトスタート制御器３５の出力電流ｉｐをゼロになるようにする。
【００２５】
第２加減器３８から出力された、加減された電圧（Ｖｅｒｒ＝Ｖｒｅｆ−Ｖｍｏ）はトランスコンダクタンスＧｍを有するエラーアンプ３９を通じて電流Ｉｉｎに増幅される。増幅された電流ＩｉｎはキャパシタＣで積分されて電圧Ｖｉｎになる。
【００２６】
この電圧ＶｉｎはＶＣＣＳ４０を経て電流Ｉ１に換算されるが、この電流Ｉ１は、電子式安定器３２の直流リンク電圧Ｅがフィードフォワードされた電流Ｉｅ及び基準電流Ｉｒｅｆと第３加減器４１で加減される。
【００２７】
これら加わった総電流ｉｔ（ｉｔ＝Ｉｒｅｆ−Ｉ１＋Ｉｅ）は発振器と出力ドライバー４２のキャパシタＣｔでチャージされて電子式安定器３２の制御周波数ｆ１を決定する。
【００２８】
この制御周波数ｆ１は電子式安定器３２の入力電力を決定し、決定された入力電力は電流ｉｆｂに比例し、これによってフィードバック制御がなされる。
【００２９】
以上のようにして、予熱、放電および放電保持が連続的にフィードバック制御されて電子式安定器３２を最適に制御できるようになる。
【００３０】
図４は、本発明が目的とする、オープンループ上において強制的な周波数制御によるランプの初期予熱から放電保持までソフトスタートする共振電流ｉＬの波形とランプ電流ｉＬａｍｐの波形であって、ｉＬａは予熱時の電流量で、ｉＬｃは瞬間放電の際に流れる電流量で、ｉＬｂは放電保持時の入力電力を決定する電流量である。
【００３１】
結局、予熱から放電保持までの電流の流れは、図４の基本電流の流れ図と同一であり、かかる特性はランプ特性に起因する。
【００３２】
図５は本発明による電子式安定器を連続的にフィードバック制御するシステムにおいてソフトスタート制御器３５の電流の流れを示すグラフである。
【００３３】
第１加減器３６に入力されるソフトスタート制御器３５の出力電流ｉｐを図５の電流流れ図に示すように得るための回路図が図２である。
【００３４】
第３トランジスタＱ３のベースに入力されるｉｐバイアス電流によって第３トランジスタＱ３のエミッタ電流ｉｐ１が決まり、時間制御器３４の出力Ｖｃｓが時間に比例して大きくなってほぼ第４トランジスタＱ４と第５トランジスタＱ５のベース電圧Ｖｒ２になると第２トランジスタＱ２が導通し始める。このときが時間的にはｔ１（予熱期間の終りまたは放電期間の始まり）に該当する。
【００３５】
ｔ１以後、第１トランジスタＱ１のコレクタ電流ｉｐ３が比例的に大きくなり、第４トランジスタＱ４のコレクタ電流ｉｐ２は比例的に減少する。
【００３６】
第１トランジスタＱ１のコレクタ電流ｉｐ３が第３トランジスタＱ３のエミッタ電流ｉｐ１と同様になると、ソフトスタート制御器３５の出力電流ｉｐはゼロ電流になる。このときが時間的にはｔ２（放電期間の終りまたは放電保持期間の始まり）に該当する。
【００３７】
第１抵抗Ｒ１は、ｔ１とｔ２で電流の傾きを決める抵抗である。この抵抗Ｒ１が大きいほど電流の傾きが緩慢になる。
【００３８】
図６は本発明による電子式安定器を連続的にフィードバック制御するシステムにおいてソフトスタート制御器３５の電流制御および電流制御による電力の変化度を示すグラフである。
【００３９】
ソフトスタート制御器３５の出力電流ｉｐを予熱電流にして全システムを制御すると電子式安定器３２の電力はＷｐで制御され、予熱期間後に放電期間になると予熱電流はマイナス傾きに減少して制御されるが、電子式安定器３２の電力は逆にプラス傾きに大きくなる。このとき、放電期間の間の電流がマイナス傾きに制御されることはランプ３１の放電瞬間電力を十分に供給制御するようにしたためである。
【００４０】
予熱電流がゼロになると予熱期間と放電期間が完全に済むことで、放電保持期間になる。このときの電力は電子式安定器３２の最適の制御電力になるようにする。
【００４１】
図７は本発明による電子式安定器を連続的にフィードバック制御するシステムにおいて発振器と出力ドライバー４２の信号を示す波形図である。
【００４２】
第３加減器４１の出力ｉｔと発振器と出力ドライバー４２の出力ｆ１は比例関係にあり、発振器と出力ドライバー４２のキャパシタＣｔで発生されるのこぎり波の大きさを△Ｖとすると下記の式で表される。
【００４３】
２＊ｆ１≒ｉｔ／（Ｃｔ＊△Ｖ）      ・・・・・・・・（１）
電子式安定器３２を制御する周波数ｆ１はデュアル出力の周波数であって、のこぎり波周波数の１／２である。
【００４４】
Ｖｃｔは発振器と出力ドライバー４２のキャパシタＣｔにおける電圧波形であり、Ｖｒｌは発振器と出力ドライバー４２における内部比較電位である。比較電位Ｖｒｌにおいて内部比較器の出力はＶｃｏｍに現れ、Ｖｃｏｍは内部Ｄ−Ｆ／ＦによってＤ−Ｆ／Ｆ１とＤ−Ｆ／Ｆ２に分周される。分周されたＤ−Ｆ／Ｆ１およびＤ−Ｆ／Ｆ２は最終的に電子式安定器３２を駆動するＯＵＴ１とＯＵＴ２に出力されるが、この出力周波数が一端を基準にｆ１になる。
【００４５】
【発明の効果】
以上詳細に説明したように、本発明によれば、ランプロードの特性のバラツキにもかかわらず、ランプの初期予熱の周波数制御、瞬間放電および放電保持のための周波数制御を含む全過程において連続的なフィードバック制御をすることにより、より安定的に最適の制御でき、エネルギーの節約およびランプ寿命の延長などに大きい効果が得られる。なお、本発明は電子式安定器を用いるあらゆる製品に適用することができる。
【図面の簡単な説明】
【図１】本発明による電子式安定器を連続的にフィードバック制御するシステムを示すブロック図である。
【図２】本発明による電子式安定器を連続的にフィードバック制御するシステムにおけるソフトスタート制御器を示す詳細回路図である。
【図３】本発明において用いられる電子式安定器を示す図である。
【図４】本発明が目的とする、オープンループ上において強制的な周波数制御によるランプの初期予熱から放電保持までソフトスタートする共振電流ｉＬの波形とランプ電流ｉＬａｍｐの波形である。
【図５】本発明による電子式安定器を連続的にフィードバック制御するシステムにおけるソフトスタート制御器の電流の流れを示すグラフである。
【図６】本発明による電子式安定器を連続的にフィードバック制御するシステムにおけるソフトスタート制御器の電流制御および電流制御による電力変化度を示すグラフである。
【図７】本発明による電子式安定器を連続的にフィードバック制御するシステムにおける発振器と出力ドライバーの信号を示す波形図である。
【図８】従来の電子式安定器をフィードバック制御するシステムを示すブロック図である。
【符号の説明】
３１  ランプ
３２  電子式安定器
３３  掛算器
３４  時間制御器
３５  ソフトスタート制御器
３６  第１加減器
３７  基準電圧発生部
３８  第２加減器
３９  エラーアンプ
４０  電圧制御電流ソース（ＶＣＣＳ）
４１  第３加減器
４２  発振器と出力ドライバー
【図１】
0003833289.tif 000002
【図２】
0003833289.tif 000003
【図３】
0003833289.tif 000004
【図４】
0003833289.tif 000005
【図５】
0003833289.tif 000006
【図６】
0003833289.tif 000007
【図７】
0003833289.tif 000008
【図８】
0003833289.tif 000009